(57)【要約】      （修正有）【課題】街灯電球が白熱照明から、より効率の発光ダイオードを使用したものなどに交換されるときに必要な照明システム。【解決手段】各街灯がネットワーク内のノードになり、各々が、プロセッサと照明システムのネットワークとの間に結合されたネットワークインターフェースと、ノードにおける条件を検出しかつそれに応じてその条件に関する情報をプロセッサに提供するためのセンサとを含む。ノードにおけるセンサから、ローカルまたはクラウドベースのサービスプラットフォームへと情報を提供するのに、いくつかのLIAFノードのネットワークインターフェースに結合されたゲートウェイを使用する。このソフトウェアは、ノードにおけるセンサによって検出された条件に関連した所望の動作を行う。【選択図】図１
2014064274.tif 000002
【特許請求の範囲】
【請求項１】
電力を受け取るための電力入力端子と、
該電力入力端子に結合された光源と、
該電力入力端子に結合されたプロセッサと、
該プロセッサと照明システムのネットワークとの間に結合されたネットワークインターフェースと、
ノードにおける条件を検出しかつそれに応じて該条件に関する情報を該プロセッサに提供するための、該プロセッサに結合されたセンサであって、該プロセッサが、該センサによって提供される該情報に応じて、制御機能またはアプリケーション機能の少なくとも一つを実行する、センサと
を含む、照明システムのネットワークのためのノード。
【請求項２】
前記電力入力端子、前記プロセッサ、前記ネットワークインターフェース、および前記センサの各々が内部に配置されるハウジングをさらに含む、請求項1記載のノード。
【請求項３】
前記光源のためのソケットをさらに含み、該光源が少なくとも一つの発光ダイオードを含む、請求項2記載のノード。
【請求項４】
前記ハウジングが街灯内部の既存の照明光源の代わりに該街灯内部に後付けされるように適合されている、請求項3記載のノード。
【請求項５】
前記センサに提供された前記情報に応じて前記プロセッサが実行する制御機能またはアプリケーション機能が前記光源からの照明を制御する機能を含む、請求項1記載のノード。
【請求項６】
前記センサからサービスプラットフォームに情報を提供するための、前記ネットワークインターフェースに結合されたゲートウェイをさらに含む、請求項1記載のノード。
【請求項７】
前記ゲートウェイが前記サービスプラットフォームから情報を受け取り、該情報を前記ノードにおいて前記ネットワークインターフェースに提供する、請求項6記載のノード。
【請求項８】
前記ノードにおいて前記ゲートウェイから前記ネットワークインターフェースに提供された前記情報が前記光源を制御する、請求項7記載のノード。
【請求項９】
前記ノードにおいて前記ゲートウェイから前記ネットワークインターフェースに提供された前記情報が、前記ノードに結合された装置に制御信号を提供するために前記プロセッサによって使用される、請求項7記載のノード。
【請求項１０】
前記ノードにおいて前記ゲートウェイから前記ネットワークインターフェースに提供された前記情報が、前記センサに制御信号を提供するために前記プロセッサによって使用される、請求項7記載のノード。
【請求項１１】
前記プロセッサからの前記信号が、前記ゲートウェイから該プロセッサが受け取った信号に応じて提供される、請求項7記載のノード。
【請求項１２】
前記光源の条件をモニタして光源条件の報告を前記プロセッサに提供するために該光源に結合された照明コントローラをさらに含む、請求項7記載のノード。
【請求項１３】
前記ゲートウェイが前記光源条件を前記サービスプラットフォームに報告する、請求項12記載のノード。
【請求項１４】
前記サービスプラットフォームが、前記センサからのデータを使用してアプリケーションプログラムを実行するコンピューティング機器に結合されている、請求項13記載のノード。
【請求項１５】
前記コンピューティング機器が、前記センサからの前記データに応じて、前記ノードにおけるコントローラに該ノードにおける装置の変更を実施させるために前記ノードに制御信号を提供する、請求項14記載のノード。
【請求項１６】
前記ゲートウェイが携帯電話インターフェースまたはWi-Fiインターフェースを使用して前記サービスプラットフォームと通信する、請求項1記載のノード。
【請求項１７】
前記センサが、音声、映像、動き、光、および気象のうちの少なくとも一つを検出するためのデバイスを含む、請求項1記載のノード。
【請求項１８】
以下の工程を含む、情報を収集するためのセンサのネットワークを提供するために、各々が電源に結合されかつ各々が光源を有する複数の器具を有する既存の照明システムを使用する、方法:
該複数の器具の各々における該光源を、
該電源に接続されるように適合された電力入力端子と、
該電力入力端子に結合された交換用光源と、
該電力入力端子に結合されたプロセッサと、
該プロセッサに結合されたネットワークインターフェースと、
ノードにおける条件を検出しかつそれに応じて該条件に関する情報を該プロセッサに提供するための、該プロセッサに結合されたセンサと
を含むモジュールと交換する、工程;
通信ネットワークを使用して、該複数の器具において該モジュールの各々の該ネットワークインターフェースを相互に結合する工程;
該通信ネットワークを使用して、各モジュールの該個々のノードにおける該条件に関する情報を収集する工程;および
各モジュールの該個々のノードにおける該条件に関して収集された該情報をコンピューティング機器に提供する工程。
【請求項１９】
複数の器具それぞれのモジュールがコントローラと該コントローラに結合された装置とを含み、該装置に動作を行わせるために該コントローラを使用する工程をさらに含む、請求項18記載の方法。
【請求項２０】
前記通信ネットワーク上で前記コンピューティング機器から前記モジュールに、およびそれによって前記コントローラに信号を送り、該装置に動作を行わせる工程をさらに含む、請求項19記載の方法。
【発明の詳細な説明】
【技術分野】
【０００１】
関連出願の参照
本特許出願は、2012年9月12日に出願された、"Lighting Infrastructure as Sensor Platform"という名称の米国仮特許出願第61/699,968号、整理番号第94551-841116号の優先権を主張するものであり、同出願の内容は参照により本明細書に組み入れられる。
【０００２】
発明の背景
本発明は、屋外空間または屋内空間の照明を超えた機能性を可能にするセンサ、プラットフォーム、コントローラ、およびソフトウェアのネットワークの基礎としての街路その他の照明システムの使用に関する。
【背景技術】
【０００３】
世界中の工業先進国には屋内および屋外照明の大規模なネットワークがある。街路、幹線道路、駐車場、工場、オフィスビル、およびあらゆる種類の施設が、多くの場合、大規模な屋内および屋外の照明を有する。実質的にこうした照明のすべてが、最近まで、白熱技術または高輝度放電（HID:high intensity discharge）技術を使用してきた。しかし、白熱照明またはHID照明は電力から光出力への変換の際に効率が悪い。白熱照明に使用される電力の相当な割合が熱として放散される。これはエネルギーを浪費するばかりでなく、照明装置はもとより、白熱電球自体の故障を引き起こすことも多い。
【０００４】
これらの不都合点、ならびに、発光ダイオードその他の固体照明技術の運用保守コストの効率の結果として、多数の白熱照明器具またはHID照明器具の多くの所有者らは、固体照明を使用するようにそれらの照明器具を転換しつつある。固体照明は、より長寿命の電球を提供し、それによって交換のための人件費を低減させるのみならず、結果として得られる器具も低温でより長期間にわたって動作し、器具を保守する必要をさらに低減させる。本出願の譲受人は、様々な自治体、民間および個人の所有者らに照明交換のサービスおよび機器を提供し、各々の施設を低保守コスト、低エネルギーコストで運用することができるようにする。
【発明の概要】
【０００５】
本発明者らは、街路またはその他の照明システムにおいて配備するためのネットワーク接続されたセンサおよびアプリケーションの枠組みを開発した。本発明者らのシステムのアーキテクチャは、すでに実施されている照明インフラストラクチャ内での、または照明インフラストラクチャの初期導入時におけるネットワーク接続されたシステムの配備を可能にする。このシステムは通常、最も有利には屋外の街路照明で配備されるが、屋内で、例えば工場やオフィスビルで配備することもできる。また有利には、システムが屋外で配備されるときには、街灯電球が白熱照明から、より効率の良い照明、例えば発光ダイオード（LED:light emitting diode）を使用したものなどに交換されるときにシステムを導入することもできる。そのような白熱電球交換のコストが高いのは、主として、人件費と、各街灯の電球に到達するために特殊な装置が必要であるからである。そのときに本明細書で説明するネットワークを導入すれば、単に既存の白熱電球をLED電球と交換するのと比較した増分コストは、最小限で済む。
【０００６】
本発明者らのシステムは多数の異なる用途を可能にするものであるため、本発明者らは、本明細書で説明する、配備されたネットワーク、センサ、コントローラおよびソフトウェアのシステムを、照明インフラストラクチャ応用枠組み（LIAF:Lighting Infrastructure Application Framework）と呼ぶ。このシステムは、照明インフラストラクチャを、ハードウェアとソフトウェアの組み合わせを使用して実施される業務向け応用および消費者向け応用のプラットフォームとして使用する。この枠組みの主な構成要素は、ノードのハードウェアおよびソフトウェア、センサのハードウェア、サイト特有の、またはクラウドベースのサーバのハードウェア、ネットワークのハードウェアおよびソフトウェア、ならびに広域ネットワークリソースであり、これらの構成要素は、データ収集、解析、動作起動ならびにアプリケーションおよびユーザとの通信を可能にする。本明細書ではこのシステムを街路照明の状況で説明するが、以下の説明を読めば、システムが、他の環境に、例えば車庫や工場環境などでも応用できることが明らかになるであろう。
【０００７】
好ましい態様では、本発明者らのシステムは、既存の立体駐車場および屋内の産業用照明を使用した照明システムのネットワークに備えるものである。各照明がネットワークにおけるノードとなることができ、各ノードは、電力を受け取るための電力制御端子と、電力制御端子に結合された光源と、電力制御端子に結合されたプロセッサと、プロセッサと照明システムのネットワークとの間に結合されたネットワークインターフェースと、ノードにおける条件を検出するための、プロセッサに結合されたセンサとを含む。後述するいくつかの応用では、ネットワークは照明システムに依拠しない。組み合わせて、本発明者らのシステムは、各ノードが他のノードに、および中心に、各ノードにおける条件に関する情報を伝えることも可能にする。したがって、LIAF内のノード間で処理を分散させることができる。
【０００８】
本発明者らは、ノードにおけるセンサから、（アプリケーションソフトウェアが情報を記憶し、処理し、分配し、表示するための）ローカルまたはクラウドベースのサービスプラットフォームへと情報を提供するのに、いくつかのLIAFノードのネットワークインターフェースに結合されたゲートウェイを使用する。このソフトウェアは、ノードにおけるセンサによって検出された条件に関連した所望の動作を行う。加えて、ゲートウェイは、サービスプラットフォームから情報を受け取り、その情報をそのドメイン内のノードプラットフォームの各々に提供することができる。その情報は、照明の保守、照明の制御、カメラの制御、空き駐車スペースの位置特定、一酸化炭素レベルの測定またはその他の用途を円滑に行わせるのに使用することができ、本明細書ではそのうちの典型的ないくつかを説明する。各ノードと一緒に、またはその近傍に配置されたセンサは、コントローラと共に、光源を制御することはもとより、ノードに結合された装置に制御信号を提供するのに、例えば、駐車エリアをロックまたはロック解除するのに使用することができる。複数のゲートウェイを使用して、一つの応用のために照明システムの複数の領域を相互に結合することができる。
【０００９】
通常各ノードは、供給される交流電力をプロセッサ、センサなどが使用するための直流に変換する交流/直流変換器を含むことになる。ゲートウェイは、携帯、Wi-Fiまたは他の手段を介してサービスプラットフォームまで相互に通信することができる。センサは通常、特定の条件、例えばガラスの破損やカーアラームの音などを検出する機器、セキュリティおよび駐車関連の感知用のビデオカメラ、動きセンサ、光センサ、無線周波数識別検出器、気象センサ、または他の条件の検出器である。
【００１０】
別の態様では、本発明者らは、光源を備える器具を有する既存の照明システムを使用することによって情報を収集するためのセンサのネットワークを提供する。この方法は、各器具における光源を、既存の照明器具の電源に接続された電力制御端子と、交換用光源と、プロセッサと、プロセッサに結合されたネットワークインターフェースと、プロセッサに結合されたセンサとを含むモジュールで置き換えることを含む。センサはノードとその周辺での条件を検出し、その条件に関する情報をプロセッサに送る。好ましくは、各器具における各モジュールのネットワークインターフェースは共通して、広帯域または携帯通信ネットワークを使用して一緒に結合される。通信ネットワークを使用してセンサから情報が収集され、その情報がネットワーク上で、サイトにあるローカルサーバまたはクラウド内のサーバ上で走るアプリケーションに提供される。ローカルの、またはサイトベースのアプリケーションサーバをサイトコントローラと呼ぶ。サイトコントローラ上で走るアプリケーションは、一つもしくは複数の特定の顧客サイトからのデータを管理することができる。
【００１１】
好ましい態様では、各器具における各モジュールが、コントローラと、コントローラに結合された装置とを含み、コントローラは、装置に動作を行わせるのに使用される。前述のように、通信ネットワーク上でコンピューティング機器からモジュールに、およびそれによってコントローラへと信号を送り、照明システムの装置に動作を行わせることができる。
【００１２】
より具体的には、本発明は以下を提供する：
［１］電力を受け取るための電力入力端子と、
該電力入力端子に結合された光源と、
該電力入力端子に結合されたプロセッサと、
該プロセッサと照明システムのネットワークとの間に結合されたネットワークインターフェースと、
ノードにおける条件を検出しかつそれに応じて該条件に関する情報を該プロセッサに提供するための、該プロセッサに結合されたセンサであって、該プロセッサが、該センサによって提供される該情報に応じて、制御機能またはアプリケーション機能の少なくとも一つを実行する、センサと
を含む、照明システムのネットワークのためのノード；
［２］前記電力入力端子、前記プロセッサ、前記ネットワークインターフェース、および前記センサの各々が内部に配置されるハウジングをさらに含む、[1]のノード；
［３］前記光源のためのソケットをさらに含み、該光源が少なくとも一つの発光ダイオードを含む、[2]記載のノード；
［４］前記ハウジングが街灯内部の既存の照明光源の代わりに該街灯内部に後付けされるように適合されている、[3]記載のノード；
［５］前記センサに提供された前記情報に応じて前記プロセッサが実行する制御機能またはアプリケーション機能が前記光源からの照明を制御する機能を含む、[1]のノード；
［６］前記センサからサービスプラットフォームに情報を提供するための、前記ネットワークインターフェースに結合されたゲートウェイをさらに含む、[1]のノード；
［７］前記ゲートウェイが前記サービスプラットフォームから情報を受け取り、該情報を前記ノードにおいて前記ネットワークインターフェースに提供する、[6]のノード；
［８］前記ノードにおいて前記ゲートウェイから前記ネットワークインターフェースに提供された前記情報が前記光源を制御する、[7]のノード；
［９］前記ノードにおいて前記ゲートウェイから前記ネットワークインターフェースに提供された前記情報が、前記ノードに結合された装置に制御信号を提供するために前記プロセッサによって使用される、[7]のノード；
［１０］前記ノードにおいて前記ゲートウェイから前記ネットワークインターフェースに提供された前記情報が、前記センサに制御信号を提供するために前記プロセッサによって使用される、[7]のノード；
［１１］前記プロセッサからの前記信号が、前記ゲートウェイから該プロセッサが受け取った信号に応じて提供される、[7]のノード；
［１２］前記光源の条件をモニタして光源条件の報告を前記プロセッサに提供するために該光源に結合された照明コントローラをさらに含む、[7]のノード；
［１３］前記ゲートウェイが前記光源条件を前記サービスプラットフォームに報告する、[12]のノード；
［１４］前記サービスプラットフォームが、前記センサからのデータを使用してアプリケーションプログラムを実行するコンピューティング機器に結合されている、[13]のノード；
［１５］前記コンピューティング機器が、前記センサからの前記データに応じて、前記ノードにおけるコントローラに該ノードにおける装置の変更を実施させるために前記ノードに制御信号を提供する、[14]のノード；
［１６］前記ゲートウェイが携帯電話インターフェースまたはWi-Fiインターフェースを使用して前記サービスプラットフォームと通信する、[1]のノード；
［１７］前記センサが、音声、映像、動き、光、および気象のうちの少なくとも一つを検出するためのデバイスを含む、[1]のノード；
［１８］以下の工程を含む、情報を収集するためのセンサのネットワークを提供するために、各々が電源に結合されかつ各々が光源を有する複数の器具を有する既存の照明システムを使用する、方法:
該複数の器具の各々における該光源を、
該電源に接続されるように適合された電力入力端子と、
該電力入力端子に結合された交換用光源と、
該電力入力端子に結合されたプロセッサと、
該プロセッサに結合されたネットワークインターフェースと、
ノードにおける条件を検出しかつそれに応じて該条件に関する情報を該プロセッサに提供するための、該プロセッサに結合されたセンサと
を含むモジュールと交換する、工程;
通信ネットワークを使用して、該複数の器具において該モジュールの各々の該ネットワークインターフェースを相互に結合する工程;
該通信ネットワークを使用して、各モジュールの該個々のノードにおける該条件に関する情報を収集する工程;および
各モジュールの該個々のノードにおける該条件に関して収集された該情報をコンピューティング機器に提供する工程；
［１９］複数の器具それぞれのモジュールがコントローラと該コントローラに結合された装置とを含み、該装置に動作を行わせるために該コントローラを使用する工程をさらに含む、[18]の方法；ならびに
［２０］前記通信ネットワーク上で前記コンピューティング機器から前記モジュールに、およびそれによって前記コントローラに信号を送り、該装置に動作を行わせる工程をさらに含む、[19]の方法。
【図面の簡単な説明】
【００１３】
【図１】照明インフラストラクチャ応用枠組みの全体アーキテクチャの一部分を示す図である。
【図２】より高いレベルでのシステムのアーキテクチャを示す図である。
【図３】ノードプラットフォームを示すブロック図である。
【図４】ゲートウェイプラットフォームを示すブロック図である。
【図５】サービスプラットフォームを示すブロック図である。
【図６】照明インフラストラクチャ応用での収益モデルを示す図である。
【図７】ネットワーク接続された照明システムの車庫応用を示す図である。
【図８】ネットワーク接続された照明システムの照明保守応用を示す図である。
【図９】ネットワーク接続された照明システムの倉庫在庫応用を示す図である。
【図１０】出荷ターミナルのモニタリングのためのネットワーク接続された照明システムの応用を示す図である。
【図１１】ノードにおける電力モニタリング・制御回路を示すブロック図である。
【図１２】ノードにおけるアプリケーションコントローラを示すブロック図である。
【発明を実施するための形態】
【００１４】
発明の詳細な説明
本明細書で述べる照明インフラストラクチャ応用枠組みは、ノード、ゲートウェイおよびサービスのアーキテクチャに基づくものである。ノードアーキテクチャは、照明インフラストラクチャ内の様々な場所で、例えば個別街路照明器具で配備されるノードプラットフォームからなる。ノードのうちの少なくとも一部が、データを収集して他のノードに、場合によってはアーキテクチャ内のより上位レベルに報告するセンサを含む。例えば、個別ノードのレベルで、周囲光センサは照明器具の場所での照明条件に関する情報を提供することができる。カメラはノードで発生するイベントに関する情報を提供することができる。
【００１５】
図1に、本発明者らのシステムの全体アーキテクチャの一部分を示す。図示のように、照明ノード10は、光源自体に加えてノードプラットフォームも含む。ノードプラットフォームは、所望の特定用途に応じて、照明ノード10の所有者によって選択される様々な種類のセンサ30を含む。図には、昼光センサ31および占有センサ32が描かれている。また照明ノードは、センサ30に応じて機能を果たし、または他の発生源から受け取られる制御信号に応じて機能を果たすためのコントローラ40も含んでいてよい。図には3つの例示的コントローラ、すなわち、灌水システムを制御するための灌水制御42、近くのゲートを開閉するためのゲート制御45、および照明コントローラ48が示されている。照明コントローラはノード10内の光源を制御するのに使用することができ、例えば、一日の異なる時刻に照明をオフまたはオンにし、照明を暗くし、照明を明滅させ、保守が必要であるかどうか判定するために光源自体の条件を感知し、あるいは他の機能を提供する。センサ30、コントローラ40、電源、および他の所望の構成要素をまとめて組み立てて照明器具10のハウジングに組み入れることができる。
【００１６】
上記の、または類似のコントローラが可能にする制御機能の他の例には、配電の管理、電力の測定およびモニタリング、需要/応答管理が含まれる。コントローラは、センサを活動化し、非活動化することができ、センサ出力を測定し、モニタすることができる。加えて、コントローラは、ソフトウェアダウンロードおよびセキュリティ管理運営のためのゲートウェイ動作といった通信機能の管理、ならびに映像および音声の処理、例えばイベントの検出やモニタリングなどの管理も提供する。
【００１７】
好ましい態様では、本発明者らのネットワーク接続されたシステムのアーキテクチャは、照明ノードにおけるセンサの「プラグ・アンド・プレイ」配備を可能にする。照明インフラストラクチャ応用枠組みは、センサのプラグ・アンド・プレイ・アーキテクチャの実施を可能にするためのハードウェアおよびソフトウェアを提供する。新しいセンサが配備されると、ソフトウェアおよびハードウェアがセンサを管理するが、LIAFはセンサと関連付けられた一般的な機能のサポートを提供する。これによって、センサのためのカスタムハードウェアおよびソフトウェアのサポートの必要を抑え、またはなくすことができる。センサは電力、通常は、電池または配線による低電圧直流を必要とし、好ましくは、センサは出力としてアナログ信号またはディジタル信号を発生させる。
【００１８】
LIAFは、追加のハードウェアおよびソフトウェア構成要素なしで照明ノードでのセンサの配備を可能にする。好ましい実施態様では、LIAFは必要に応じてセンサに直流電力を提供する。またLIAFは、センサと関連付けられたアナログまたはディジタルのインターフェース、ならびにノードにおけるすべての他の活動もモニタする。
【００１９】
照明の一部に位置するノードプラットフォームはまとめてゲートウェイプラットフォーム50に結合されている。ゲートウェイプラットフォーム50は、以下でさらに説明する技術を使用してノードプラットフォームと通信するが、無線接続または有線接続を含むこともできる。ゲートウェイ50は、好ましくは、携帯データ、Wi-Fi、GPRS、または他の手段といった周知の通信技術55を使用してインターネット80と通信する。当然ながら、ゲートウェイプラットフォーム50は、独立型の実施態様である必要はない。ゲートウェイプラットフォーム50は、照明ノード10に配備することができる。ゲートウェイプラットフォームは、広域ネットワーク接続（WAN:wide area networking）機能を提供し、ノードプラットフォームによって提供される機能に加えて、複雑なデータ処理機能も提供することができる。
【００２０】
ゲートウェイはサービスプラットフォーム90との通信を確立し、ノードが様々なアプリケーション100にデータを提供し、またはアプリケーション100から命令を受け取ることを可能にする。サービスプラットフォーム90は、好ましくは、アプリケーション100との対話を可能にするためにクラウドにおいて実施される。サービスプラットフォーム90またはこの機能の一部がサイトにおいてローカルで実施されるときには、これをサイトコントローラと呼ぶ。サービスプラットフォームと関連付けられているのは、エンドユーザがアクセスできる機能を提供する様々なアプリケーションである。所有者、提携先、消費者、または他の実体がこれらのアプリケーションを提供することができる。一つの典型的なアプリケーションは、例えば、ノードでの現在の気象条件に関する報告を提供する。アプリケーション100は普通、他者によって配備され、インフラストラクチャ所有者に使用許諾されるが、これをノード所有者が提供することもでき、あるいは、様々なノード上で使用可能にすることもできる。
【００２１】
典型的な照明関連のアプリケーションは、照明制御、照明保守、およびエネルギー管理を含む。これらのアプリケーションは、好ましくは、サービスプラットフォーム90またはサイトコントローラ上で走る。また、提携先アプリケーション、すなわち、機密データにアクセスすることができ、照明インフラストラクチャ所有者がそれに対して特権を付与するアプリケーションもありうる。そのようなアプリケーションは、いくつか例を挙げると、セキュリティ管理、駐車管理、交通報告、環境報告、資産管理、ロジスティクス管理、および小売データ管理を提供することができる。また、消費者が汎用データにアクセスすることを可能にし、このデータへのアクセス権が例えばインフラストラクチャ所有者によって付与される消費者アプリケーションもある。別の種類のアプリケーションが、所有者提供アプリケーションである。これらは、インフラストラクチャ所有者によって開発され、使用されるアプリケーションであり、例えば、地域内の、または市町村道に沿った交通の流れを制御する。当然ながら、枠組みからのカスタマイズされたデータを使用するアプリケーションもありうる。
【００２２】
図1に示すシステムに関与する主要な実体は、照明インフラストラクチャ所有者、応用枠組み提供者、アプリケーションまたはアプリケーションサービス所有者、およびエンドユーザである。典型的なインフラストラクチャ所有者には、自治体、ビル所有者、テナント、電気事業、または他の実体が含まれる。
【００２３】
図2は、より高いレベルで本発明者らのシステムのアーキテクチャを示す図である。図2に示すように、ノード10のグループは相互に、およびゲートウェイ50と通信する。ゲートウェイは、さらに、通信媒体55を介して、インターネット80と通信する。図示のような典型的な実施態様では、複数の組のノード10、複数のゲートウェイ50、複数の通信媒体55があり、これらすべてが、インターネット80を介して利用可能なサービスプラットフォーム90に共に共通に結合されている。このように、複数のアプリケーションがシステム内のゲートウェイを介して個別ノードに幅広い機能を提供することができる。
【００２４】
図2には、ノードのアレイのためのネットワーク接続アーキテクチャも示されている。図面の左側のセクション11には、ノード10のアレイが示されている。ノード間の実線はデータプレーンを表し、データプレーンは高ローカル帯域幅トラフィックを可能にするように選択されるノードを接続する。これらの接続は、例えば、これらのノード間でのローカル映像またはデータの交換を可能にすることができる。セクション11内の破線は制御プレーンを表し、制御プレーンは、すべてのノードを相互に接続し、ローカルおよびリモートのトラフィックの伝送を可能にし、イベント、使用状況、ノード状況に関する情報を交換し、ゲートウェイからの制御コマンド、およびゲートウェイへの応答が実施されることを可能にする。
【００２５】
図3に、ノードプラットフォームをより詳細に示す。ノードインフラストラクチャは電源12を含み、電源12は通常交流/直流変換器として実施される。ノードが屋外の街灯に配備される好ましい実施態様では、交流電力がそのような街灯への主電源である。センサおよびコントローラ構造の大部分が半導体ベースの部品を使用するため、電源12は利用可能な交流電力を、ノード構成要素を駆動するのに適切な直流電力レベルに変換する。
【００２６】
同じく図3に示すように、センサ30およびコントローラ40のアレイは電力モジュール12に接続されており、電力モジュール12は交流/直流変換器および他の周知の構成要素を含むことができる。アプリケーション15を走らせるプロセッサが、センサおよびコントローラの動作を調整して所望のローカル機能を実施する。またプロセッサは適切なメディア12を介した他のノードプラットフォームとの通信も提供する。またアプリケーションは、適切な光源18に結合され、コントローラ40のうちの一つの制御下で動作するLEDドライバ回路16も駆動してよい。ある実施態様は、電源12と照明コントローラモジュール40の機能を組み合わせて一つのモジュールにしたものであってもよい。図で示すように、有線接続46、47および無線接続44、49が必要に応じて設けられてよい。
【００２７】
図3では、照明インフラストラクチャは、光源モジュール16、18、例えば、本発明の譲受人であるSensity Systemsから市販されているようなLEDアセンブリからなる。当然ながら、サードパーティーの製造者が光源モジュール18および他の構成要素を提供することもできる。また、モジュール16はコントローラ40に結合されていてもよい。ノードと関連付けられたセンサ30は、ノードから見てローカルであってもよく、リモートとすることもできる。本発明の譲受人のSensity Systemsによって提供されるLEDコントローラ以外のコントローラは通常、リモートであり、無線通信を使用する。また、ノード・アプリケーション・コントローラとも呼ばれるプロセッサモジュール15が、ノード内のすべての機能を管理する。プロセッサモジュール15は、アプリケーションと関連付けられた管理、データ収集および動作の命令も実施する。通常、これらの命令はアプリケーションスクリプトとしてコントローラに送られる。加えて、アプリケーションコントローラ上のソフトウェアも、活動化、管理、セキュリティ（認証およびアクセス制御）ならびに通信の機能を提供する。ネットワークモジュール14は、その他のノードへの無線周波数（RF:Radio Frequency）ベースの無線通信を提供する。この無線通信は、近隣エリアネットワーク（NAN:Neighborhood Area Network）、Wi-Fi、802.15.4または他の技術に基づくものとすることができる。
【００２８】
図4は、ゲートウェイプラットフォーム50のブロック図である。図で示し、また前述したように、ゲートウェイプラットフォームは、ノードに位置することも、ノードとは別個の独自のハウジング内に位置することもできる。図4の図には、電源12、プロセッサモジュール15、LED光源モジュール16および光源モジュール18の各構成要素、ならびにセンサモジュール30およびコントローラモジュール40が再度示されている。
【００２９】
ゲートウェイプラットフォームのハードウェアおよびソフトウェア構成要素は、ノードプラットフォームによってサポートされる機能に加えて、例えばビデオレートでのメディアモジュール105使用した高帯域幅のデータ処理および解析、ならびにWAN通信110を可能にする。ゲートウェイプラットフォームはノードプラットフォームとみなすことができるが、追加の機能を有する。高帯域幅データ処理メディアモジュール105は、特定用途向けイベントを解析し、検出し、記録し、報告することのできるビデオ・オーディオ・データ処理機能をサポートする。WAN機能サポート110は、インターネットまでのGSM、Wi-Fi、LAN、または他の広域ネットワーク接続技術に基づくものとすることができる。
【００３０】
図5は、サービスプラットフォーム90のブロック図である。サービスプラットフォーム90は、アプリケーションゲートウェイ120およびノード・アプリケーション・ビルダ130をサポートする。アプリケーションゲートウェイ120は、照明ノードからのセンサデータおよびイベントデータを使用して実施される異なる種類のアプリケーションへのインターフェースを管理する。アプリケーションゲートウェイ120を備えるサービスプラットフォーム90を顧客照明サイトでサイトコントローラとして配備することができる。したがってサイトコントローラはアプリケーションゲートウェイ120の機能性だけ備えるサービスプラットフォーム90のインスタンスである。ノード・アプリケーション・ビルダ130はカスタム・ノード・アプリケーション・スクリプトの開発を可能にする。これらのスクリプトは、ノードのプロセッサモジュール15（図3参照）に対して、データ収集命令およびノードレベルで行われるべき動作を指定する。スクリプトはアプリケーションゲートウェイ120に対して、スクリプトと関連付けられた結果がアプリケーションのどのように提供されるか指定する。
【００３１】
また図5には、所有者アプリケーション140、譲受人アプリケーション144、提携先アプリケーション146、および消費者アプリケーション149がアプリケーションゲートウェイAPI150を利用することも示されている。本発明の譲受人はこれに関して、センサの多くの用途に共通の様々な種類のアプリケーションを開発しており、これを実施する。そのようなアプリケーションの一つが照明管理である。照明管理アプリケーションはローカルノード10における光源についての照明状況および制御機能を提供する。本発明の譲受人によって提供される別のアプリケーションは照明保守に備えるものである。照明保守アプリケーションは、例えば、各ノードにおける照明の状況をモニタできるようにすることによって、ユーザがユーザの照明ネットワークを保守することを可能にする。エネルギー管理アプリケーションは、ユーザが照明インフラストラクチャのエネルギー使用状況をモニタし、したがって、照明インフラストラクチャの使用をより適切に制御することを可能にする。
【００３２】
図5に示す提携先アプリケーション146は通常、譲受人が承認したアプリケーション、および以下に記載するような様々な所望の機能についての市場を確立しているアプリケーションサービス会社である。これらのアプリケーションはアプリケーションゲートウェイAPI150を利用する。典型的な提携先アプリケーションは、セキュリティ管理、駐車管理、交通のモニタリングおよび報告、環境報告、資産管理、ならびにロジスティクス管理を提供する。
【００３３】
消費者アプリケーション149は、アプリケーションゲートウェイAPI150を利用して消費者関連の機能を提供する。このAPIは、公表データ、匿名データ、および所有者が承認したデータへのアクセスを提供する。また、照明インフラストラクチャ所有者が自分の様々な特有の必要を満たすために開発し、使用する所有者アプリケーション140も示されている。
【００３４】
図6に、前述のシステムについての照明インフラストラクチャ応用収益モデルを示す。この収益モデルは、照明インフラストラクチャにおいて収益がどのようにして発生し、主要な利害関係者間で分配されるかを示している。一般に、アプリケーションおよび/またはアプリケーションサービス提供者はアプリケーションユーザから収益Aを収集する。アプリケーション所有者またはサービス提供者は、照明インフラストラクチャ応用枠組みサービス提供者に料金Bを支払う。LIAFサービス提供者は照明インフラストラクチャ所有者に料金Cを支払う。
【００３５】
照明インフラストラクチャベースの応用の主要な利害関係者は照明インフラストラクチャの所有者を含む。これらの所有者は、照明柱/器具および照明インフラストラクチャが位置する所有物を所有する実体である。システムに関与する別の主要な当事者が照明インフラストラクチャ応用枠組みサービス提供者である。これらのサービス提供者は、アプリケーションについてのデータおよびサービスを提供するために配備されるハードウェアおよびソフトウェアプラットフォームを提供する実体である。本発明の譲受人はこの場合LIAFのサービス提供者である。他の重要な実体には、アプリケーションの開発者および所有者が含まれる。これらの実体は、アプリケーションまたはアプリケーションサービスを販売する。これらのアプリケーションおよびサービス提供者は、照明インフラストラクチャ応用枠組みによって収集され、処理され、分配されるデータに基づくものである。
【００３６】
LIAFに資金供給する収益発生源の中には、アプリケーション、アプリケーションサービスおよびデータがある。アプリケーションまたはアプリケーションサービス提供者のための収益オプションがある。アプリケーションまたはアプリケーションサービスのユーザは、通常、時間間隔ベースの、または1回限りの使用許諾料金として支払われる使用許諾料金を支払う。この料金は異なるレベルの使用状況、例えば、標準、業務用、管理者などに基づくものである。また使用料金は、例えば、生データか要約データか、リアルタイムか非リアルタイムか、履歴データへのアクセス、需要によって動的に価格設定されるデータに基づいて、データと関連付けられた場所に基づいてなど、データの種類に依存するものとすることもできる。
【００３７】
別のアプリケーションサービスは広告主を含む。これらは、アプリケーションおよびアプリケーションサービスのユーザに製品またはサービスを広告しようとする企業である。そのような広告主はアプリケーションまたはサービスごとに広告料金を支払う。
【００３８】
データに関して、アプリケーションおよびアプリケーションサービスの開発者は、データへのアクセスに対して支払いをする。データは、全照明の照明エンジンごと、照明エンジンチャネルごと、またはセンサごとの特有のデータ、例えばノードにおけるエネルギー使用状況を含む。別の種類のデータが照明の状況、例えば、減光をトリガするための温度閾値またはエネルギーコスト、減光パーセンテージ、検出間隔および報告間隔の設定を含む照明状況の報告といった管理運営状況などである。このデータは、照明の現在の状況、オンまたはオフ、減光および減光量、故障、異常などといった動作状況も含むことができる。他の種類のデータには、ノードにおける温度、湿度および気圧などの環境データ、周囲光や周囲光の色といった照明データが含まれる。
【００３９】
またノードは、多くの他の種類のデータも感知し、提供してよい。例えば、二酸化炭素、一酸化炭素、メタン、天然ガス、酸素、プロパン、ブタン、アンモニア、または硫化水素といった気体を検出し、データを報告することもできる。他の種類のデータには、地震事象を指示する加速度計状況、侵入検出器状況、BluetoothのMACアドレス、アクティブRFIDタグデータ、ISO-18000-7、およびDASH7データが含まれる。以下で本発明者らは、これらのアプリケーションのうちのいくつか、およびアプリケーションが収集することのできるデータをより詳細に説明する。
【００４０】
特定用途向けのセンサデータは、照明柱または照明器具の基部における侵入、照明柱の基部におけるカバーの無許可の開け、照明器具の無許可の開けを検出する侵入センサ、侵入関連の振動検出、地震関連の振動検出または照明柱破損関連の振動検出のための振動センサを含むことができる。動きセンサは、動き、動きの方向、および検出される動きの種類を検出することができる。
【００４１】
音声センサは別の種類の収集可能データを提供することができる。音声センサは、ガラスの破損、発砲、車両エンジンのオン/オフイベント、タイヤ雑音、車両ドア閉め、人間のコミュニケーションイベント、または人間の悲鳴（distress noise）イベントを検出することができる。
【００４２】
人検出センサは、1人の人、複数の人、および人数を検出することができる。車両検出は、1台の車両、複数の車両、およびセンサ視認性の持続期間を含むことができる。車両検出は、車両台数、またはメーカ、モデル、色、ナンバープレートなどに関する認識情報を提供することができる。
【００４３】
また本発明者らのシステムは、相関関係にあるイベントに関するデータを、多くの場合、複数のセンサからのデータを使用することによって提供することもできる。例えば、動き検出器および人検出器からのセンサデータを組み合わせて、照明をオン、オフにし、暗くし、または明るくする照明機能を作動させることができる。動き検出での人の数は、セキュリティ、小売業務、または交通関連のイベントに関する情報を提供する。車両検出と結合された動き検出は、施設のセキュリティの侵害を指示するのに使用することができる。
【００４４】
動きと車両数、動きと音声といったセンサの組み合わせの使用は、様々な動作を行うための有益な情報を提供する。また、有益な情報を提供するために、データ収集の時刻を前述のようなセンサからのデータと組み合わせることもできる。例えば、施設の開放時間および閉鎖時間中の動き検出などである。動き検出センサに結合された光度センサは、照明制御に有益な情報を提供することができる。動き検出をビデオと組み合わせて、イベントが発生したときに限ってデータを取り込むこともできる。現在のセンサデータおよび履歴センサデータを相関させて使用して、イベント、または制御信号の調整の必要、例えば交通の流れのパターンなどを予測することもできる。
【００４５】
ノードにおいて収集されるデータの別の用途は、集約である。これは、データイベントが、様々な技法を使用してグループについての代表値を生成するのに使用されることを可能にする。例えば、集約されたデータは、サイトの照明装置の種類（例えば、柱上式照明装置や壁パック式照明装置など）、環境保護型照明器具かそれとも非保護型照明装置か、外の露出した領域の照明装置に関する情報を収集するのに使用することができる。データは、例えば、照明領域（通路、駐車場、私道など）、施設の種類（製造、研究開発）、企業区域（国際的か国内かなど）に基づいて収集することができる。
【００４６】
電力使用状況は、器具の種類、施設、施設の種類、または地域について集約することができる。環境感知関連の集約は、地理的領域または施設の種類について提供することができる。セキュリティアプリケーションは、地理的領域または施設の種類についての集約を含む。交通アプリケーションは、時刻、週、月、年による、または地理的領域による（例えば、学校領域かそれとも小売店領域か）集約を含む。小売アプリケーションは、時刻、週、月などによる集約、ならびに地理的領域または施設の種類による集約を含む。またデータは、ユーザ指定の基準、例えば時刻などに基づいてフィルタリングし、集約することもできる。
【００４７】
カスタムアプリケーション開発は、ユーザが、収集され、カスタムアプリケーションおよびサービスに送られるべきデータ、照明ノードにおいてデータに基づいて行われるべき動作、アプリケーションまたはアプリケーションサービスに送られるデータのフォーマット、ならびに履歴データの管理を指定することを可能にする。
【００４８】
本発明者らの収益分配モデルは、照明インフラストラクチャ所有者、アプリケーションインフラストラクチャ所有者、およびアプリケーションまたはアプリケーションサービス所有者の間での収益分配を可能にする。今日、インフラストラクチャ所有者にとって、照明は、設備投資、エネルギー料金、および保守コストを伴う原価中心点である。この場合、本発明の譲受人は、アプリケーションおよびアプリケーションサービスを日々使用可能にして、インフラストラクチャ所有者が資本支出、運転費用、および保守費用の少なくとも一部を埋め合わせることを可能にするハードウェア、ソフトウェア、およびネットワークリソースを提供する。
【００４９】
図7〜図10に、前述のシステムのための4つの応用例を示す。図7に車庫応用を示す。一連の車両検出センサ180が位置決めされており、車庫内の各駐車スペースの上方に一つずつ、または一つの複数スペース占有検出センサが照明ごとに位置決めされている。センサは、センサの下方に駐車された車両の有無を検出する任意の周知の技術を使用して動作することができる。駐車スペースごとのセンサが配備されるときには、各センサは、そのスペースが空いているか、占有されているか、それとも予約されているか表示するLEDを含む。これによって車庫内の運転者は空きスペース、利用可能スペース、および予約スペースの位置を突き止めることができる。またこれによって車庫所有者も、車庫全体を目視で検査しなくてもスペースがいつ利用可能か知ることができる。
【００５０】
各センサは有線または無線技術を使用して、例えば上記システムについて説明したようなノードプラットフォーム10に結合されている。ノードプラットフォームは、ローカル・エリア・ネットワーク210を介してサイトコントローラ200と、かつ/またはゲートウェイプラットフォーム50を使用してサービスプラットフォーム90と通信する。ゲートウェイプラットフォーム50は、インターネット80を介してサービスプラットフォーム90と、ユーザ220とに接続されている。サイトコントローラ200は、サービスプラットフォーム90または駐車管理アプリケーション181と通信することができる。駐車管理アプリケーション181は、ユーザ220がインターネット上で当該アプリケーションにアクセスすることによってスペースを予約することができるようにする。
【００５１】
図8に、照明保守応用を示す。この応用では、照明ノード10が、前述のようなシステムを使用して相互にネットワーク接続され、さらにサイトコントローラ200に結合されている。前述の技術を使用して、電力消費、動作状況、オン・オフ作動状態、センサ作動状態といった照明ノードに関する情報が、サイトコントローラ200に、かつ/またはサービスノード90に報告される。加えて、サイトコントローラ200および/またはサービスノード90も、温度や電流といった性能データ、およびノード10で行われている活動といった状況データを収集することができる。照明保守関連の機能を提供する照明保守アプリケーション229は、サービスノード90の生の保守データにアクセスする。サービスが必要とされるときに、または他の注意が必要とされるときにそれを判定するために、照明保守アプリケーション229から保守会社230がLED温度、LED電力消費、LED故障、ネットワーク故障、および電源故障といった保守関連のデータにアクセスすることができる。
【００５２】
図9に、本発明の前述のシステムのための倉庫在庫応用を示す。図示のように、一連のRFIDタグ読取装置250がノードプラットフォーム10に沿って倉庫全体に位置決めされている。これらのタグ読取装置250は、倉庫内の様々な品目上のRFIDタグ260を検出する。本明細書で説明するノードプラットフォーム10のネットワークを使用して、タグ読取装置250はその情報をサイトコントローラ200および/またはサービスプラットフォーム90に提供することができる。タグ読取装置250は、場所および識別情報を収集し、ノードプラットフォーム10を使用してデータをサイトコントローラ200および/またはサービスプラットフォーム90に送る。このデータは次いで、サービスノード90から在庫アプリケーション238といったアプリケーションに送られる。場所データおよび識別データは、倉庫内での商品の流れを追跡するのに使用することができる。同じ戦略を使用して倉庫スペース使用状況をモニタすることができる。センサは倉庫内の品目の存在、およびこれらの品目によって占有されているスペースを検出する。このスペース使用状況データは、サイトコントローラ200および/またはサービスプラットフォーム90に送られる。空間利用状況をモニタし、管理するアプリケーション237がサービスプラットフォーム90からこのデータにアクセスすることになる。
【００５３】
図10に、本発明者らのシステムの別の応用を示す。この事例では、出荷ターミナルのモニタリングおよび出荷元から宛先までの商品の追跡をこのシステムを使用して行うことができる。この事例では、RFID読取装置250が、ノードプラットフォーム10と一緒に、商品の出荷元（船積み港ターミナルなど）、通過点（秤量所またはガソリンスタンド）、および宛先（倉庫など）の全体にわたって位置決めされる。同様に、RFIDタグ260も、商品と商品を輸送する車両とに位置決めされる。これらのRFIDタグ260は、ノードプラットフォーム10を使用してサービスプラットフォーム90に、場所、識別その他のセンサデータ情報を送る。これは、各サイト（出荷元、通過点、宛先）でゲートウェイプラットフォーム50を使用して行われる。サービスプラットフォーム90はこのデータをロジスティクスアプリケーション236といったアプリケーションが利用できるようにし、ロジスティクスアプリケーション236にアクセスするユーザが正確な場所および商品状況情報を得られるようにする。
【００５４】
図11は、ノード内の電力モニタリングおよび制御のための電気部品のブロック図である。図示の電力測定・制御モジュールは、入力交流電力を測定し、交流/直流変換器に提供される電力を制御する。またこのモジュールは、サージ抑制に備え、ノード構成要素に電力を提供するものでもある。
【００５５】
この回路は、個別ノードの発光ダイオードへの電力を制御するのに使用される。以下で概説する入力または出力の実際の数は、顧客用途の要件に依存する。図示のように、交流電力が、線300を介して90ボルトから305ボルトの電圧範囲で提供される。電圧および電流は、エネルギー測定集積回路310によって感知される。AC-DC変圧器320が集積回路310に電力供給するために回路310に3.3ボルトを提供する。図11では、破線は高電圧システムの非絶縁部分を表す。点線は、最大10000ボルトまで保護される回路の部分を指定する。
【００５６】
集積回路310は、線間電圧および電流を測定するCMOS電力測定デバイスである。集積回路310は、有効電力、無効電力、および皮相電力、ならびにRMS電圧および電流を計算することができる。集積回路310は、「汎用非同期式送受信回路」（UART:universal asynchronous receiver/transmitter）デバイス330に出力信号315を提供する。UARTデバイス330はパラレルインターフェースとシリアルインターフェースとの間でデータを変換する。UART330は、負荷350に提供される出力電圧を制御するマイクロコントローラ340に信号を提供するために接続されており、負荷350は、好ましくは、LED照明システム350である。この制御はスイッチ355を使用して実施される。
【００５７】
また、マイクロコントローラ340には、一般にCANバスと呼ばれる、コントローラ・エリア・ネットワーク・バス・システムを実施するデバイス360および365も結合されている。CANバスは、複数のマイクロコントローラがホストコンピュータに頼らずに相互に通信することを可能にする。CANバスは、メッセージベースの通信用プロトコルを提供する。CANバスは、複数のノードがノード間の通信のために相互にデイジーチェーン接続されることを可能にする。
【００５８】
任意選択で、回路基板上には、電力モジュール370が設けられる。電力モジュールはその入力端子の交流電力を受け入れ、その出力端子で制御された直流電力を提供する。必要に応じて、電力モジュールは、図12に示すデバイスのいくつかのために入力電力を提供することができ、これを次に論じる。
【００５９】
図12は、ノードに位置するアプリケーションコントローラのブロック図である。ノードはアプリケーションソフトウェアとの無線通信に備えている。このアプリケーションソフトウェアは、電力、照明、およびマイクロコントローラ400上で走っているセンサの制御を可能にする。またこのアプリケーションソフトウェアは、図に示す様々なモジュールへの電力供給を行い、センサとの通信を可能にするものでもある。
【００６０】
図12のアプリケーションコントローラは、図の中央に描かれているマイクロコントローラ400の制御下で動作する。入力電力405は、例えば図11のモジュール370によって供給され、Wi-Fi通信用の電力を提供するために変圧器410によって5ボルトに降圧され、また、マイクロコントローラ400に電力供給する3.3ボルト変圧器420にも提供される。電源430も入力電力を受け取り、それをセンサ（不図示）に提供する。3.3ボルト電力は基準電圧発生器440にも提供される。
【００６１】
マイクロコントローラ400は、様々なデバイスとの通信のためのいくつかの入力端子および出力端子を提供する。特に、好ましい態様では、マイクロコントローラ400は、3つの0から10ボルトのアナログ出力信号450を提供し、2つの0から10ボルトのアナログ入力信号460を受け取るように結合される。これらの入力信号および出力信号は、様々なセンサを制御し、様々なセンサの条件を感知するのに使用することができる。マイクロコントローラハンドレッド（hundred）との通信は、UART470によって、CANバス480を使用して行われる。図11に関連して説明したように、バス480は、ホストコンピュータを必要とせずにマイクロコントローラ間での通信を可能にする。
【００６２】
将来の応用を可能にし、柔軟性を提供するために、マイクロコントローラ400は、複数の汎用入力/出力ピン490も含む。これらのピンは、0から36ボルトまでの範囲の信号を受け入れ、または提供する。これらのピンは、その挙動をソフトウェアによって制御し、またはプログラムすることのできる汎用キトン（kitten）である。これら追加の制御線があることにより、ハードウェアを交換しなくても、ソフトウェアによって追加機能を使用可能にできる。
【００６３】
マイクロコントローラ400は、1対のI2Cバスインターフェース500にも結合されている。これらのバスインターフェースは、基板上の他の部品に接続し、またはケーブルを介して連結される他の部品に接続するのに使用することができる。I2Cバスは事前定義の帯域幅を必要とせず、しかもマルチマスタリング、アービトレーション、および衝突検出を可能にする。またマイクロコントローラ400は、サージ保護を提供するためにSP1インターフェース510にも接続されている。加えて、マイクロコントローラ400は、USBインターフェース520と、JTAGインターフェース530にも結合されている。様々な出力バスおよび制御信号は、ノードのアプリケーションコントローラが、多種多様なセンサおよび他のデバイスとインターフェースして、例えば、照明制御やセンサ管理を提供することを可能にする。
【００６４】
以上は、感知応用と共に使用するためのネットワーク接続された照明インフラストラクチャの詳細な説明である。前述のように、システムは既存の、または将来の照明インフラストラクチャのための固有の機能を提供する。多くの詳細をシステムの具体的実施態様に関連して提供したが、本発明の範囲は添付の特許請求の範囲によって定義されるものであることが理解されるであろう。
【符号の説明】
【００６５】
10  照明ノード
11  セクション
12  電源
14  モジュール
15  モジュール
16  モジュール
18  モジュール
30  センサ
31  センサ
32  センサ
40  コントローラ
42  灌水制御
44  無線
45  ゲート制御
46  有線
47  有線
48  コントローラ
49  無線
50  プラットフォーム
55  通信技術
80  インターネット
90  プラットフォーム
100  アプリケーション
105  モジュール
110  WAN通信
120  アプリケーションゲートウェイ
130  ノード・アプリケーション・ビルダ
140  アプリケーション
144  アプリケーション
146  アプリケーション
149  アプリケーション
150  API
180  センサ
181  アプリケーション
200  サイトコントローラ
210  ローカル・エリア・ネットワーク
220  ユーザ
229  アプリケーション
230  保守会社
236  アプリケーション
237  アプリケーション
238  アプリケーション
250  タグ読取装置
260  タグ
300  線
310  回路
320  AC-DC変圧器
315  出力信号
330  デバイス
340  マイクロコントローラ
350  負荷
355  スイッチ
360  デバイス
365  デバイス
370  モジュール
400  マイクロコントローラ
405  電力
410  変圧器
420  変圧器
430  電源
440  基準電圧発生器
450  出力信号
460  入力信号
470  UART
480  バス
490  入力/出力ピン
500  インターフェース
510  インターフェース
520  インターフェース
530  インターフェース
【図１】
2014064274.tif 000003
【図２】
2014064274.tif 000004
【図３】
2014064274.tif 000005
【図４】
2014064274.tif 000006
【図５】
2014064274.tif 000007
【図６】
2014064274.tif 000008
【図７】
2014064274.tif 000009
【図８】
2014064274.tif 000010
【図９】
2014064274.tif 000011
【図１０】
2014064274.tif 000012
【図１１】
2014064274.tif 000013
【図１２】
2014064274.tif 000014
【外国語明細書】
2014064274000001.pdf
2014064274000002.pdf
2014064274000003.pdf
2014064274000004.pdf